(57)【要約】【課題】互いに組み合わされる一対の弾性部材によってシール部材を構成しながらも、シール性を確保することが可能なシール部材及びコネクタを提供する。【解決手段】互いに組み合わされることにより電線１００をその軸方向に挿通させることが可能な挿通孔４０を形成する一対のシール部材４Ａ，４Ｂからなり、電線１００の外面１００ｃと電線１００の一部を収容する収容孔２１０の内面２１０ａとの間をシール可能なシール部材４であって、外側シールリップ部４０１Ａ〜４０３Ａと外側シールリップ部４０１Ｂ〜４０３Ｂとの相対移動、及び挿通孔４０における内側シールリップ部４１１Ａ〜４１３Ａと内側シールリップ部４１１Ｂ〜４１３Ｂとの相対移動を規制する相対移動規制構造を備え、相対移動規制構造は、第１シール部材４Ａに形成された第１突部６０と第２シール部材４Ｂに形成された第１窪部７０とを有する。【選択図】図３
2014086315.tif 000002
【特許請求の範囲】
【請求項１】
互いに組み合わされることにより軸状部材をその軸方向に挿通させることが可能な挿通孔を形成する一対の弾性部材からなり、前記軸状部材の外面と前記軸状部材の一部を収容する収容孔の内面との間をシール可能なシール部材であって、
前記一対の弾性部材を組み合わせた状態において前記挿通孔の内面に連続して環状に形成され、前記軸状部材の外面に弾性的に接触する内側シールリップ部と、
前記一対の弾性部材のうち一方の弾性部材側に形成された前記内側シールリップ部と他方の弾性部材側に形成された前記内側シールリップ部との前記軸方向の相対移動を規制する相対移動規制構造とを備え、
前記相対移動規制構造は、前記一方の弾性部材に形成された窪部と、前記他方の弾性部材に形成された前記窪部に嵌合する突部とを有する、
シール部材。
【請求項２】
互いに組み合わされることにより軸状部材をその軸方向に挿通させることが可能な挿通孔を形成する一対の弾性部材からなり、前記軸状部材の外面と前記軸状部材の一部を収容する収容孔の内面との間をシール可能なシール部材であって、
前記一対の弾性部材を組み合わせた状態において前記一対の弾性部材の外面に連続して環状に形成され、前記収容孔の内面に弾性的に接触する外側シールリップ部と、
前記一対の弾性部材のうち一方の弾性部材側に形成された前記外側シールリップ部と他方の弾性部材側に形成された前記外側シールリップ部との前記軸方向の相対移動を規制する相対移動規制構造とを備え、
前記相対移動規制構造は、前記一方の弾性部材に形成された窪部と、前記他方の弾性部材に形成された前記窪部に嵌合する突部とを有する、
シール部材。
【請求項３】
互いに組み合わされることにより軸状部材をその軸方向に挿通させることが可能な挿通孔を形成する一対の弾性部材からなり、前記軸状部材の外面と前記軸状部材の一部を収容する収容孔の内面との間をシール可能なシール部材であって、
前記一対の弾性部材を組み合わせた状態において前記挿通孔の内面に連続して環状に形成され、前記軸状部材の外面に弾性的に接触する内側シールリップ部と、
前記一対の弾性部材を組み合わせた状態において前記一対の弾性部材の外面に連続して環状に形成され、前記収容孔の内面に弾性的に接触する外側シールリップ部と、
前記一対の弾性部材のうち一方の弾性部材側に形成された前記内側シールリップ部及び前記外側シールリップ部と他方の弾性部材側に形成された前記内側シールリップ部及び外側シールリップ部との前記軸方向の相対移動を規制する相対移動規制構造とを備え、
前記相対移動規制構造は、前記一方の弾性部材に形成された窪部と、前記他方の弾性部材に形成された前記窪部に嵌合する突部とを有する、
シール部材。
【請求項４】
前記窪部は、溝底に向かって幅が狭くなるＶ字溝として形成され、
前記突部は、前記Ｖ字溝に嵌合する形状の突条として形成され、
前記突条の稜線及び前記Ｖ字溝の溝底線は、前記内側シールリップ部及び前記外側シールリップ部のうち少なくとも何れかのシールリップ部の頂部に交差する、
請求項１乃至３の何れか１項に記載のシール部材。
【請求項５】
前記一方の弾性部材と前記他方の弾性部材とが接触する複数の接触部のうち、少なくとも２つの接触部に前記突部及び前記窪部が形成されている、
請求項１乃至４の何れか１項に記載のシール部材。
【請求項６】
前記挿通孔は複数形成され、
前記複数の接触部のうち、前記複数の挿通孔の配列方向の両端に位置する前記接触部に、それぞれ前記突部及び前記窪部が形成されている、
請求項５に記載のシール部材。
【請求項７】
請求項１乃至６の何れか１項に記載のシール部材と、
前記収容孔を有するハウジングとを備え、
前記挿通孔を挿通する前記軸状部材としての電線の端部を前記ハウジングに収容する、
コネクタ。
【発明の詳細な説明】
【技術分野】
【０００１】
本発明は、シール部材、及びシール部材を備えたコネクタに関する。
【背景技術】
【０００２】
従来、電気配線用のコネクタとして、電線の外面とハウジングの内面との間をシールするシール部材が用いられているものがある（例えば、特許文献１参照）。
【０００３】
特許文献１に記載のゴム栓（シール部材）は、電線を挿通させる複数の挿通孔を横切る平面で分割された一対の栓部を有し、この一対の栓部によって電線の外面とハウジングの内面との間をシールする。一対の栓部の重ね合わせによって形成される挿通孔の内面及び各栓部の外面には、複数条のリップが形成されている。
【０００４】
各栓部の一端には、組み付け作業を容易にするための把持部がそれぞれ設けられており、この把持部を持って栓部を電線の軸方向に沿ってハウジングの収容孔に押し込むことにより、リップの頂部が電線の外面及び収容孔の内面に弾性的に押し付けられ、これらの間をシールする。それぞれの把持部は、ヒンジを介して開閉可能に連結されている。
【先行技術文献】
【特許文献】
【０００５】
【特許文献１】特開２０００−３２３２２９号公報
【発明の概要】
【発明が解決しようとする課題】
【０００６】
しかし、上記特許文献１に記載のものでは、重ね合わされた一対の栓部がハウジングの収容孔に押し込まれた際、一方の栓部と他方の栓部とが互いの接触面に沿って電線の軸方向（ハウジングへの収容方向）に相対移動してしまう場合がある。そして、この一方の栓部と他方の栓部との間の相対移動から生じる一方の栓部のリップ及び他方の栓部のリップの電線の軸方向のずれによって、シール性が低下するおそれがあった。
【０００７】
そこで、本発明の目的は、互いに組み合わされる一対の弾性部材によってシール部材を構成しながらも、一方のリップ部及び他方のリップ部における電線の軸方向のずれを抑制してシール性を確保することが可能なシール部材及びコネクタを提供することにある。
【課題を解決するための手段】
【０００８】
本発明は、上記課題を解決することを目的として、互いに組み合わされることにより軸状部材をその軸方向に挿通させることが可能な挿通孔を形成する一対の弾性部材からなり、前記軸状部材の外面と前記軸状部材の一部を収容する収容孔の内面との間をシール可能なシール部材であって、前記一対の弾性部材を組み合わせた状態において前記挿通孔の内面に連続して環状に形成され、前記軸状部材の外面に弾性的に接触する内側シールリップ部と、前記一対の弾性部材のうち一方の弾性部材側に形成された前記内側シールリップ部と他方の弾性部材側に形成された前記内側シールリップ部との前記軸方向の相対移動を規制する相対移動規制構造とを備え、前記相対移動規制構造は、前記一方の弾性部材に形成された窪部と、前記他方の弾性部材に形成された前記窪部に嵌合する突部とを有するシール部材を提供する。
【０００９】
また、上記課題を解決することを目的として、互いに組み合わされることにより軸状部材をその軸方向に挿通させることが可能な挿通孔を形成する一対の弾性部材からなり、前記軸状部材の外面と前記軸状部材の一部を収容する収容孔の内面との間をシール可能なシール部材であって、前記一対の弾性部材を組み合わせた状態において前記一対の弾性部材の外面に連続して環状に形成され、前記収容孔の内面に弾性的に接触する外側シールリップ部と、前記一対の弾性部材のうち一方の弾性部材側に形成された前記外側シールリップ部と他方の弾性部材側に形成された前記外側シールリップ部との前記軸方向の相対移動を規制する相対移動規制構造とを備え、前記相対移動規制構造は、前記一方の弾性部材に形成された窪部と、前記他方の弾性部材に形成された前記窪部に嵌合する突部とを有するシール部材を提供する。
【００１０】
また、上記課題を解決することを目的として、互いに組み合わされることにより軸状部材をその軸方向に挿通させることが可能な挿通孔を形成する一対の弾性部材からなり、前記軸状部材の外面と前記軸状部材の一部を収容する収容孔の内面との間をシール可能なシール部材であって、前記一対の弾性部材を組み合わせた状態において前記挿通孔の内面に連続して環状に形成され、前記軸状部材の外面に弾性的に接触する内側シールリップ部と、前記一対の弾性部材を組み合わせた状態において前記一対の弾性部材の外面に連続して環状に形成され、前記収容孔の内面に弾性的に接触する外側シールリップ部と、前記一対の弾性部材のうち一方の弾性部材側に形成された前記内側シールリップ部及び前記外側シールリップ部と他方の弾性部材側に形成された前記内側シールリップ部及び外側シールリップ部との前記軸方向の相対移動を規制する相対移動規制構造とを備え、前記相対移動規制構造は、前記一方の弾性部材に形成された窪部と、前記他方の弾性部材に形成された前記窪部に嵌合する突部とを有するシール部材を提供する。
【００１１】
また、上記課題を解決することを目的として、前記シール部材と、前記収容孔を有するハウジングとを備え、前記挿通孔を挿通する前記軸状部材としての電線の端部を前記ハウジングに収容するコネクタを提供する。
【発明の効果】
【００１２】
本発明に係るシール部材及びコネクタによれば、互いに組み合わされる一対の弾性部材によってシール部材を構成しながらも、一方のリップ部及び他方のリップ部における電線の軸方向のずれを抑制してシール性を確保することが可能である。
【図面の簡単な説明】
【００１３】
【図１】本発明の実施の形態に係るシール部材、及びこのシール部材を有するコネクタを含むコネクタ装置の構成例を示す一部断面図である。
【図２】シール部材を示し、（ａ）は斜視図、（ｂ）は正面図、（ｃ）は側面図である。
【図３】シール部材を構成する第１シール部材と第２シール部材とが嵌合する前のシール部材を示す斜視図である。
【図４】第１シール部材及び第２シール部材を示し、（ａ）は第１シール部材の側面図、（ｂ）は第２シール部材の側面図、（ｃ）は図３における第１シール部材のＡ−Ａ断面図、（ｄ）は図３における第２シール部材のＡ−Ａ断面図である。
【図５】比較例に係るシール部材を示し、（ａ）はシール部材の斜視図、（ｂ）はシール部材を構成する第１シール部材と第２シール部材とが嵌合する前の斜視図である。
【図６】比較例に係るシール部材を示し、（ａ）は側面図、（ｂ）は雌側ハウジングの収容孔に収容したときの側面図である。
【発明を実施するための形態】
【００１４】
［実施の形態］
図１は、本発明の実施の形態に係るシール部材、及びこのシール部材を有するコネクタを含むコネクタ装置の構成例を示す一部断面図である。
【００１５】
（コネクタ装置１の構成）
このコネクタ装置１は、雄コネクタ１１及び雌コネクタ１２を有している。雄コネクタ１１と雌コネクタ１２とは、雄コネクタ１１の雄側ハウジング３と雌コネクタ１２の雌側ハウジング２とを嵌合することにより結合される。本実施の形態では、雄側ハウジング３の一部が雌側ハウジング２に収容されるように、雄側ハウジング３と雌側ハウジング２との嵌合が行われる。
【００１６】
雌コネクタ１２には、例えば車両の駆動源としての電気モータに電流を供給するための３本の電線１００が接続されている。この電気モータは例えば三相交流モータであり、３本の電線１００は、三相交流モータに各相電流を供給する。
【００１７】
（雄コネクタ１１の構成）
雄コネクタ１１は、複数（本実施の形態では３つ）の雄側接続端子３０と、複数の雄側接続端子３０を保持する雄側ハウジング３とを有している。雄側ハウジング３は、アルミニウム等の導電性を有する金属製の第１エレメント３１と、第１エレメント３１に保持された樹脂製の第２エレメント３２とを有する。
【００１８】
第１エレメント３１は、複数の雄側接続端子３０の一部を収容する筒状の筒部３３と、雄側ハウジング３を機器のケース等の固定対象物に固定するための図略の貫通孔が形成されたフランジ部３４とを一体に有している。筒部３３には、その外周面に雌コネクタ１２の雌側ハウジング２とランス嵌合するための嵌合突起３３０が設けられている。
【００１９】
第２エレメント３２は、第１エレメント３１の反対側に形成された端子台部３５を一体に有している。端子台部３５には、複数の雄側接続端子３０が並列して保持されている。
【００２０】
（雌コネクタ１２の構成）
雌コネクタ１２は、複数（本実施の形態では３本）の電線１００の一端に接続された複数（本実施の形態では３つ；図２にはこのうちの１つを破線で示す）の雌側接続端子２０と、雌側接続端子２０を保持する雌側ハウジング２とを有している。複数の電線１００は、導電性の金属からなる芯線１００ａと、絶縁被覆１００ｂとで構成されている。芯線１００ａは、雌側接続端子２０に接続される先端部を除き、絶縁被覆１００ｂで覆われている。電線１００は、本発明の軸状部材の一例である。
【００２１】
雌側ハウジング２の外面には、雄コネクタ１１の第１エレメント３１に設けられた嵌合突起３３０とランス嵌合する嵌合凹部２００が形成されている。雌側ハウジング２の端部２１には、複数の電線１００を導出させると共に、雌側ハウジング２と複数の電線１００との間を封止するシール部材４を収容する収容孔２１０が形成されている。
【００２２】
（シール部材４の構成）
図２は、シール部材４を示し、（ａ）は斜視図、（ｂ）は正面図、（ｃ）は側面図である。
【００２３】
シール部材４は、一対の弾性部材としての第１シール部材４Ａ及び第２シール部材４Ｂを組み合わせてなり、第１シール部材４Ａと第２シール部材４Ｂとの組み合わせにより、トラック状の外周面４ａと一対の平坦な側面４ｂとが形成される。シール部材４には、一対の側面４ｂの間を厚さ方向に貫通して複数の電線１００をその軸方向に挿通させることが可能な複数（本実施の形態では３つ）の挿通孔４０が形成されている。シール部材４は、電線１００の外面１００ｃと電線１００の一部を収容する収容孔２１０の内面２１０ａとの間をシール可能とする。
【００２４】
３つの挿通孔４０は、それぞれが同じ構成を有しているが、以下の説明においてこれらを区別して説明する必要がある場合には、３つの挿通孔４０を図２の左側から順に挿通孔４１，４２，４３として説明する。第１シール部材４Ａ及び第２シール部材４Ｂの材料は、例えばシリコンゴム、フッ素ゴム、ニトリルゴム、エチレンプロピルゴム等からなる。３つの挿通孔４０は、それぞれの中心軸Ｃが互いに平行かつ側面４ｂに対して直交し、その内径は電線１００（図１に示す）の外径よりも小さく形成されている。
【００２５】
図２（ａ）に示すように、シール部材４の外周面４ａには、周方向の全周に亘って、中心軸Ｃに対して垂直な方向にＶ字状に突出する３つの外側シールリップ部４０１，４０２，４０３が互いに平行に、かつ外面４ａに連続して環状に形成されている。ここで、「連続して」とは、第１シール部材４Ａ及び第２シール部材４Ｂを組み合わせた状態のシール部材４において、空気等が流通するような切れ目を有することなくつながっていることをいう。外側シールリップ部４０２は、シール部材４の厚さ方向における中央部に形成され、外側シールリップ部４０１及び外側シールリップ部４０３は外側シールリップ部４０２の両側に形成されている。３つの外側シールリップ部４０１，４０２，４０３は、その頂部４０１ａ，４０２ａ，４０３ａが雌側ハウジング２の収容孔２１０の内面２１０ａに弾性的に接触することにより、この収容孔２１０をシールする。ここで、「頂部」とは、シールリップ部の突出方向の頂点を含むその周辺部をいう。「弾性的に接触する」とは、押し付け力に対して反発力を発揮するような弾性変形を伴って接触することをいう。
【００２６】
図２（ａ）に示すように、３つの挿通孔４０の内周面４０ａには、周方向の全周に亘って、挿通孔４０の内方にＶ字状に突出する３つの内側シールリップ部４１１，４１２，４１３が形成されている。内側シールリップ部４１１，４１２，４１３は、それぞれ互いに平行に、かつ内周面４０ａに連続して環状に形成されている。また、３つの挿通孔４０（４１，４２，４３）における内側シールリップ部４１１，４１２，４１３は、その頂部４１１ａ，４１２ａ，４１３ａが電線１００の外面に弾性的に接触することにより、電線１００の外面１００ｃに対するシール性を維持している。
【００２７】
外周面４ａにおける外側シールリップ部４０１，４０２，４０３と、３つの挿通孔４０（４１，４２，４３）のそれぞれの内周面４０ａにおける内側シールリップ部４１１，４１２，４１３とは、挿通孔４０（４１，４２，４３）の中心軸Ｃ方向において同じ位置に形成されている。
【００２８】
また、第１シール部材４Ａと第２シール部材４Ｂとは、複数（本実施の形態では４つ）の接触部５０で互いに接触する。以下の説明において、複数の接触部５０を区別して説明する必要がある場合には、４つの接触部５０を図２（ｂ）の左側から順に接触部５１，５２，５３，５４として説明する。接触部５１と接触部５２との間には挿通孔４１が、接触部５２と接触部５３との間には挿通孔４２が、接触部５３と接触部５４との間には挿通孔４３が、それぞれ挟まれて配置されている。接触部５１及び接触部５４は、３つの挿通孔４０の配列方向の両端に位置している。
【００２９】
図３は、シール部材４を構成する第１シール部材４Ａと第２シール部材４Ｂとが嵌合する前のシール部材４を示す斜視図である。図４は、第１シール部材４Ａ及び第２シール部材４Ｂを示し、（ａ）は第１シール部材４Ａの側面図、（ｂ）は第２シール部材４Ｂの側面図、（ｃ）は図３における第１シール部材４ＡのＡ−Ａ断面図、（ｄ）は図３における第２シール部材４ＢのＡ−Ａ断面図である。
【００３０】
第１シール部材４Ａには３つの断面半円状の溝部４０Ａ（４１Ａ，４２Ａ，４３Ａ）が、第２シール部材４Ｂには同じく３つの断面半円状の溝部４０Ｂ（４１Ｂ，４２Ｂ，４３Ｂ）が形成されている。第１シール部材４Ａと第２シール部材４Ｂとを組み合わせると、溝部４０Ａと溝部４０Ｂとの結合により挿通孔４０が形成される。より具体的には、溝部４１Ａと溝部４１Ｂとの結合により挿通孔４１が、溝部４２Ａと溝部４２Ｂとの結合により挿通孔４２が、溝部４３Ａと溝部４３Ｂとの結合により挿通孔４３が、それぞれ形成される。
【００３１】
（第１シール部材４Ａの構成）
図３に示すように、第１シール部材４Ａの外面４Ａａには、外面４Ａａから垂直な方向にＶ字状に突出する３つの外側シールリップ部４０１Ａ，４０２Ａ，４０３Ａが互いに平行に形成されている。
【００３２】
図４（ｃ）に示すように、３つの溝部４０Ａの内周面４０Ａａには、挿通孔４０の中心軸Ｃの周方向に沿って、溝部４０Ａの内方にＶ字状に突出する３つの内側シールリップ部４１１Ａ，４１２Ａ，４１３Ａが形成されている。内側シールリップ部４１１Ａ，４１２Ａ，４１３Ａは、それぞれ互いに平行に形成されている。
【００３３】
外面４Ａａにおける外側シールリップ部４０１Ａ，４０２Ａ，４０３Ａと、３つの溝部４０Ａ（４１Ａ，４２Ａ，４３Ａ）のそれぞれの内周面４０Ａａにおける内側シールリップ部４１１Ａ，４１２Ａ，４１３Ａとは、溝部４０Ａ（４１Ａ，４２Ａ，４３Ａ）の中心軸方向において同じ位置に形成されている。
【００３４】
第１シール部材４Ａは、第１シール部材４Ａと第２シール部材４Ｂを組み合わせた際に、第２シール部材４Ｂの４つの接触部５０Ｂ（後述）にそれぞれ接触する４つの接触部５０Ａ（５１Ａ，５２Ａ，５３Ａ，５４Ａ）を有している。
【００３５】
（シール部材４の相対移動規制構造）
図４（ａ）及び（ｃ）に示すように、４つの接触部５０Ａ（５１Ａ，５２Ａ，５３Ａ，５４Ａ）には、第１突部６０（６１，６２，６３，６４）がそれぞれ形成されている。本実施の形態では、第１突部６０が線状に延びる突起、すなわち突条として形成されている。
【００３６】
より具体的には、接触部５１Ａには、外面４Ａａにおける外側シールリップ部４０２Ａから溝部４１Ａにおける内側シールリップ部４１２Ａに至る突条の第１突部６１が形成され、その第１突部６１の稜線（突条の先端を繋いだ線）は外側シールリップ部４０２Ａの頂部４０２Ａａ及び内側シールリップ部４１２Ａの頂部４１２Ａａに交差している。
【００３７】
接触部５２Ａには、溝部４１Ａにおける内側シールリップ部４１２Ａから溝部４２Ａにおける内側シールリップ部４１２Ａに至る第１突部６２が形成され、その第１突部６２の稜線は溝部４１Ａにおける内側シールリップ部４１２Ａの頂部４１２Ａａ及び溝部４２Ａにおける内側シールリップ部４１２Ａの頂部４１２Ａａに交差している。
【００３８】
接触部５３Ａには、溝部４２Ａにおける内側シールリップ部４１２Ａから溝部４３Ａにおける内側シールリップ部４１２Ａに至る第１突部６３が形成され、その第１突部６３の稜線は溝部４２Ａにおける内側シールリップ部４１２Ａの頂部４１２Ａａ及び溝部４３Ａにおける内側シールリップ部４１２Ａの頂部４１２Ａａに交差している。
【００３９】
接触部５４Ａには、溝部４３Ａにおける内側シールリップ部４１２Ａから外面４Ａａにおける外側シールリップ部４０２Ａに至る第１突部６４が形成され、その第１突部６４の稜線は溝部４３Ａにおける内側シールリップ部４１２Ａの頂部４１２Ａａ及び外面４Ａａにおける外側シールリップ部４０２Ａの頂部４０２Ａａに交差している。
【００４０】
また、４つの接触部５０Ａ（５１Ａ，５２Ａ，５３Ａ，５４Ａ）には、後述する第２シール部材４Ｂの第２突部６００（６１１〜６１４，６２１〜６２４）が嵌合される２つの第２窪部７００（７１１〜７１４，７２１〜７２４）がそれぞれ形成されている。本実施の形態では、第２窪部７００が溝底に向かって幅が狭くなるＶ字溝として形成されている。
【００４１】
より具体的には、接触部５１Ａには、第１突部６１の稜線と平行な方向に延びる溝底線（溝の最深部を繋いだ線）を有する第２窪部７１１，７２１が形成されている。第２窪部７１１の溝底線は、外面４Ａａにおける外側シールリップ部４０１Ａの頂部４０１Ａａ及び溝部４１Ａにおける内側シールリップ部４１１Ａの頂部４１１Ａａに交差している。第２窪部７２１の溝底線は、外面４Ａａにおける外側シールリップ部４０３Ａの頂部４０３Ａａ及び溝部４１Ａにおける内側シールリップ部４１３Ａの頂部４１３Ａａに交差している。
【００４２】
接触部５２Ａには、第１突部６２の稜線と平行な方向に延びる溝底線を有する第２窪部７１２，７２２が形成されている。第２窪部７１２の溝底線は、溝部４１Ａにおける内側シールリップ部４１１Ａの頂部４１１Ａａ及び溝部４２Ａにおける内側シールリップ部４１１Ａの頂部４１１Ａａに交差している。第２窪部７２２の溝底線は、溝部４１Ａにおける内側シールリップ部４１３Ａの頂部４１３Ａａ及び溝部４２Ａにおける内側シールリップ部４１３Ａの頂部４１３Ａａに交差している。
【００４３】
接触部５３Ａには、第１突部６３の稜線と平行な方向に延びる溝底線を有する第２窪部７１３，７２３が形成されている。第２窪部７１３の溝底線は、溝部４２Ａにおける内側シールリップ部４１１Ａの頂部４１１Ａａ及び溝部４３Ａにおける内側シールリップ部４１１Ａの頂部４１１Ａａに交差している。第２窪部７２３の溝底線は、溝部４３Ａにおける内側シールリップ部４１３Ａの頂部４１３Ａａ及び溝部４２Ａにおける内側シールリップ部４１３Ａの頂部４１３Ａａに交差している。
【００４４】
接触部５４Ａには、第１突部６４の稜線と平行な方向に延びる溝底線を有する第２窪部７１４，７２４が形成されている。第２窪部７１４の溝底線は、溝部４３Ａにおける内側シールリップ部４１１Ａの頂部４１１Ａａ及び外面４Ａａにおける外側シールリップ部４０１Ａの頂部４０１Ａａに交差している。第２窪部７２４の溝底線は、溝部４３Ａにおける内側シールリップ部４１３Ａの頂部４１３Ａａ及び外面４Ａａにおける外側シールリップ部４０３Ａの頂部４０３Ａａに交差している。
【００４５】
（第２シール部材４Ｂの構成）
図３に示すように、第２シール部材４Ｂの外面４Ｂａには、外面４Ｂａから垂直な方向にＶ字状に突出する３つの外側シールリップ部４０１Ｂ，４０２Ｂ，４０３Ｂが互いに平行に形成されている。
【００４６】
図４（ｄ）に示すように、３つの溝部４０Ｂの内周面４０Ｂａには、挿通孔４０の中心軸Ｃの周方向に沿って、溝部４０Ｂの内方にＶ字状に突出する３つの内側シールリップ部４１１Ｂ，４１２Ｂ，４１３Ｂが形成されている。内側シールリップ部４１１Ｂ，４１２Ｂ，４１３Ｂは、それぞれ互いに平行に形成されている。
【００４７】
外面４Ｂａにおける外側シールリップ部４０１Ｂ，４０２Ｂ，４０３Ｂと、３つの溝部４０Ｂ（４１Ｂ，４２Ｂ，４３Ｂ）のそれぞれの内周面４０Ｂａにおける内側シールリップ部４１１Ｂ，４１２Ｂ，４１３Ｂとは、溝部４０Ｂ（４１Ｂ，４２Ｂ，４３Ｂ）の中心軸方向において同じ位置に形成されている。
【００４８】
第１シール部材４Ａの外面４Ａａには３つの外側シールリップ部４０１Ａ，４０２Ａ，４０３Ａが、第２のシール部材４Ｂの外面４Ｂａには３つの外側シールリップ部４０１Ｂ，４０２Ｂ，４０３Ｂが形成されている。第１シール部材４Ａと第２シール部材４Ｂとを組み合わせると、外側シールリップ部４０１Ａと外側シールリップ部４０１Ｂとの結合によりシール部材４の外側シールリップ部４０１が、外側シールリップ部４０２Ａと外側シールリップ部４０２Ｂとの結合によりシール部材４の外側シールリップ部４０２が、外側シールリップ部４０３Ａと外側シールリップ部４０３Ｂとの結合によりシール部材４の外側シールリップ部４０３が、それぞれ外面４ａに連続して環状に形成される。
【００４９】
第１シール部材４Ａの溝部４１Ａには３つの内側シールリップ部４１１Ａ，４１２Ａ，４１３Ａが、第２シール部材４Ｂの溝部４１Ｂには３つの内側シールリップ部４１１Ｂ，４１２Ｂ，４１３Ｂが形成されている。第１シール部材４Ａと第２シール部材４Ｂとを組み合わせると、内側シールリップ部４１１Ａと内側シールリップ部４１１Ｂとの結合により挿通孔４１の内側シールリップ部４１１が、内側シールリップ部４１２Ａと内側シールリップ部４１２Ｂとの結合により挿通孔４１の内側シールリップ部４１２が、内側シールリップ部４１３Ａと内側シールリップ部４１３Ｂとの結合により挿通孔４１の内側シールリップ部４１３が、それぞれ挿通孔４１の内面４０ａに連続して環状に形成される。挿通孔４２，４３についても、挿通孔４１と同様の構成である。
【００５０】
このとき、頂部４１１Ａａと頂部４１１Ｂａとの結合により内側シールリップ部４１１の頂部４１１ａが、頂部４１２Ａａと頂部４１２Ｂａとの結合により内側シールリップ部４１２の頂部４１２ａが、頂部４１３Ａａと頂部４１３Ｂａとの結合により内側シールリップ部４１３の頂部４１３ａが、それぞれ形成される。挿通孔４２，４３における内側シールリップ部４１１，４１２，４１３の頂部４１１ａ，４１２ａ，４１３ａについても、挿通孔４１における内側シールリップ部４１１，４１２，４１３の頂部４１１ａ，４１２ａ，４１３ａと同様の構成である。
【００５１】
図４（ｂ）及び（ｄ）に示すように、４つの接触部５０Ｂ（５１Ｂ，５２Ｂ，５３Ｂ，５４Ｂ）には、第１シール部材４Ａの４つの第１突部６０（６１，６２，６３，６４）が嵌合される第１窪部７０（７１，７２，７３，７４）が溝底に向かって幅が狭くなるＶ字溝としてそれぞれ形成されている。
【００５２】
第２シール部材４Ｂは、第１シール部材４Ａと第２シール部材４Ｂとを組み合わせた際に、第１シール部材４Ａの４つの接触部５０Ａと接触する４つの接触部５０Ｂ（５１Ｂ，５２Ｂ，５３Ｂ，５４Ｂ）を有している。図３に示すように、第１シール部材４Ａの接触部５１Ａと第２シール部材４Ｂの接触部５１Ｂとが、第１シール部材４Ａの接触部５２Ａと第２シール部材４Ｂの接触部５２Ｂとが、第１シール部材４Ａの接触部５３Ａと第２シール部材４Ｂの接触部５３Ｂとが、第１シール部材４Ａの接触部５４Ａと第２シール部材４Ｂの接触部５４Ｂとがそれぞれ接触する。
【００５３】
より具体的には、接触部５１Ｂには、外面４Ｂａにおける外側シールリップ部４０２Ｂから溝部４１Ｂにおける内側シールリップ部４１２Ｂに至る第１窪部７１が形成され、その第１窪部７１の溝底線は外側シールリップ部４０２Ｂの頂部４０２Ｂａ及び内側シールリップ部４１２Ｂの頂部４１２Ｂａに交差している。
【００５４】
接触部５２Ｂには、溝部４１Ｂにおける内側シールリップ部４１２Ｂから溝部４２Ｂにおける内側シールリップ部４１２Ｂに至る第１窪部７２が形成され、その第１窪部７２の溝底線は溝部４１Ｂにおける内側シールリップ部４１２Ｂの頂部４１２Ｂａ及び溝部４２Ｂにおける内側シールリップ部４１２Ｂの頂部４１２Ｂａに交差している。
【００５５】
接触部５３Ｂには、溝部４２Ｂにおける内側シールリップ部４１２Ｂから溝部４３Ｂにおける内側シールリップ部４１２Ｂに至る第１窪部７３が形成され、その第１窪部７３の溝底線は溝部４２Ｂにおける内側シールリップ部４１２Ｂの頂部４１２Ｂａ及び溝部４３Ｂにおける内側シールリップ部４１２Ｂの頂部４１２Ｂａに交差している。
【００５６】
接触部５４Ｂには、溝部４３Ｂにおける内側シールリップ部４１２Ｂから外面４Ｂａにおける外側シールリップ部４０２Ｂに至る第１窪部７４が形成され、その第１窪部７４の溝底線は溝部４３Ｂにおける内側シールリップ部４１２Ｂの頂部４１２Ｂａ及び外面４Ｂａにおける外側シールリップ部４０２Ｂの頂部４０２Ｂａに交差している。
【００５７】
また、４つの接触部５０Ｂ（５１Ｂ，５２Ｂ，５３Ｂ，５４Ｂ）には、第１シール部材４Ａの第２窪部７００（７１１〜７１４，７２１〜７２４）に嵌合される２つの第２突部６００（６１１〜６１４，６２１〜６２４）がそれぞれ形成されている。本実施の形態では、第２突部６００が突条として形成されている。
【００５８】
より具体的には、接触部５１Ｂには、第１窪部７１の溝底線と平行な方向に延びる稜線を有する第２突部６１１，６２１が形成されている。第２突部６１１の稜線は、外面４Ｂａにおける外側シールリップ部４０１Ｂの頂部４０１Ｂａ及び溝部４１Ｂにおける内側シールリップ部４１１Ｂの頂部４１１Ｂａに交差している。第２突部６２１の稜線は、外面４Ｂａにおける外側シールリップ部４０３Ｂの頂部４０３Ｂａ及び溝部４１Ｂにおける内側シールリップ部４１３Ｂの頂部４１３Ｂａに交差している。
【００５９】
接触部５２Ｂには、第１窪部７２の溝底線と平行な方向に延びる稜線を有する第２突部６１２，６２２が形成されている。第２突部６１２の稜線は、溝部４１Ｂにおける内側シールリップ部４１１Ｂの頂部４１１Ｂａ及び溝部４２Ｂにおける内側シールリップ部４１１Ｂの頂部４１１Ｂａに交差している。第２突部６２２の稜線は、溝部４１Ｂにおける内側シールリップ部４１３Ｂの頂部４１３Ｂａ及び溝部４２Ｂにおける内側シールリップ部４１３Ｂの頂部４１３Ｂａに交差している。
【００６０】
接触部５３Ｂには、第１窪部７３の溝底線と平行な方向に延びる稜線を有する第２突部６１３，６２３が形成されている。第２突部６１３の稜線は、溝部４２Ｂにおける内側シールリップ部４１１Ｂの頂部４１１Ｂａ及び溝部４３Ｂにおける内側シールリップ部４１１Ｂの頂部４１１Ｂａに交差している。第２突部６２３の稜線は、溝部４２Ｂにおける内側シールリップ部４１３Ｂの頂部４１３Ｂａ及び溝部４３Ｂにおける内側シールリップ部４１３Ｂの頂部４１３Ｂａに交差している。
【００６１】
接触部５４Ｂには、第１窪部７４の稜線と平行な方向に延びる稜線を有する第２突部６１４，６２４が形成されている。第２突部６１４の稜線は、溝部４３Ｂにおける内側シールリップ部４１１Ｂの頂部４１１Ｂａ及び外面４Ｂａにおける外側シールリップ部４０１Ｂの頂部４０１Ｂａに交差している。第２突部６２４の稜線は、溝部４３Ｂにおける内側シールリップ部４１３Ｂの頂部４１３Ｂａ及び外面４Ｂａにおける外側シールリップ部４０３Ｂの頂部４０３Ｂａに交差している。
【００６２】
第１シール部材４Ａと第２シール部材４Ｂとを組み合わせると、第１突部６１と第１窪部７１、第１突部６２と第１窪部７２、第１突部６３と第１窪部７３、及び第１突部６４と第１窪部７４が、それぞれ嵌合する。同様にして、第２突部６１１と第２窪部７１１、第２突部６１２と第２窪部７１２、第２突部６１３と第２窪部７１３、及び第２突部６１４と第２窪部７１４が、それぞれ嵌合される。また、第２突部６２１と第２窪部７２１、第２窪部６２２と第２窪部７２２、第２突部６２３と第２窪部７２３、及び第２突部６２４と第２窪部７２４が、それぞれ嵌合される。
【００６３】
（雌コネクタ１２の組み立て手順）
雌コネクタ１２は、次に述べる手順によって組み立てられる。まず、３本の電線１００のそれぞれに雌側接続端子２０を接続し、３本の電線１００の端部を雌側接続端子２０と共に収容孔２１０から雌側ハウジング２内に挿入する。次に、雌側ハウジング２の端部２１付近において、第１シール部材４１と第２シール部材４Ｂとを３本の電線１００を挟んで向かい合わせ、互いに接触させる。そして、第１シール部材４Ａと第２シール部材４Ｂとを組み合わせた状態でシール部材４（第１シール部材４１及び第２シール部材４Ｂ）を収容孔２１０内に３本の電線１００に沿って弾性変形させながら押し込む。
【００６４】
これにより、外側シールリップ部４０１，４０２，４０３の頂部４０１ａ，４０２ａ，４０３ａが雌側ハウジング２の収容孔２１０の内面２１０ａに弾性的に押し付けられて密着する。また、内側シールリップ部４１１，４１２，４１３の頂部４１１ａ，４１２ａ，４１３ａが電線１００の外面１００ｃに弾性的に押し付けられて密着する。しかして、収容孔２１０の内面２１０ａと３本の電線１００の外面１００ｃとの間がシール部材４によって封止される。
【００６５】
（比較例）
図５は、比較例に係るシール部材８を示し、（ａ）はシール部材の斜視図、（ｂ）はシール部材８を構成する第１シール部材８Ａと第２シール部材８Ｂとが嵌合する前の斜視図である。図６は、比較例に係るシール部材８を示し、（ａ）は側面図、（ｂ）は雌側ハウジング２の収容孔２１０に収容したときの側面図である。
【００６６】
本比較例に係るシール部材８は、本発明の実施の形態に係るシール部材４と同様に、第１シール部材８Ａと第２シール部材８Ｂとを組み合わせてなる。本比較例に係るシール部材８は、４つの接触部９０の形状が実施の形態に係る４つの接触部５０とは異なる。図５及び図６において、シール部材４について説明したものと同一の機能を有する部位については共通する符号を付し、その重複した説明を省略する。
【００６７】
図５に示すように、シール部材８の４つの接触部９０は、第１シール部材８Ａと第２シール部材８Ｂとが組み合わされたとき、第１シール部材８Ａの４つの接触面９０Ａａと第２シール部材８Ｂの４つの接触面９０Ｂａとが面接触して形成される。第１シール部材８Ａの接触面９０Ａａ及び第２シール部材８Ｂの接触面９０Ｂａは、それぞれ平坦な面であり、かつ互いに平行に対向する面として形成されている。
【００６８】
シール部材８をシール部材４に替えて雌側ハウジング２の収容孔２１０に収容する場合、シール部材８を押し込む力が第１シール部材８Ａ及び第２シール部材８Ｂの両方に対して均等に加わらないことがある。例えば、雌側ハウジング２に対するシール部材８の収容方向を図６（ｂ）の矢印Ｂ方向とし、第１シール部材８Ａに加わる力よりも第２シール部材８Ｂに加わる力が大きい場合、第２シール部材８Ｂには、第１シール部材８Ａに対して矢印Ｂ方向に動く力が働く。一方、第１シール部材８Ａには、第２シール部材８Ｂに対して矢印Ｂ方向と逆向きの力（摩擦力）が働く。
【００６９】
これにより、例えば図６（ｂ）に示すように、第１シール部材８Ａにおける外側シールリップ部４０１Ａ，４０２Ａ，４０３Ａの頂部４０１Ａａ，４０２Ａａ，４０３Ａａが接触部９０において矢印Ｂと逆向きに曲がる。また、第２シール部材８Ｂにおける外側シールリップ部４０１Ｂ，４０２Ｂ，４０３Ｂの頂部４０１Ｂａ，４０２Ｂａ，４０３Ｂａが接触部９０において矢印Ｂ方向に曲がる。これにより、第１シール部材８Ａ側の頂部４０１Ａａ，４０２Ａａ，４０３Ａａと第２シール部材８Ｂ側の頂部４０１Ｂａ，４０２Ｂａ，４０３Ｂａとの間にずれが生じるため、接触部９０において空気等が流通する隙間が形成される。３つの挿通孔４０においても同様に、第１シール部材８Ａ側の頂部４１１Ａａ，４１２Ａａ，４１３Ａａと第２シール部材８Ｂ側の頂部４１１Ｂａ，４１２Ｂａ，４１３Ｂａとの間にずれが生じるため、接触部９０において空気等が流通する隙間が形成される。このため、収容孔２１０の内面２１０ａに対するシール性及び３本の電線１００の外面１００ｃに対するシール性が損なわれる。
【００７０】
（実施の形態の作用及び効果）
本実施の形態によれば、次に述べる作用及び効果が得られる。
【００７１】
（１）本実施の形態に係るシール部材４は、シール部材４を収容孔２１０に押し込む力が第１シール部材４Ａ及び第２シール部材４Ｂの両方に対して均等に加わらない場合でも、第１シール部材４Ａに形成された第１突部６０が第２シール部材４Ｂに形成された第１窪部７０に嵌合することにより、第１シール部材４Ａと第２シール部材４Ｂとの挿通孔４０の軸方向の相対移動が規制される。したがって、接触部５０において、第１シール部材８Ａの外側シールリップ部４０１Ａ，４０２Ａ，４０３Ａと第２シール部材８Ｂの外側シールリップ部４０１Ｂ，４０２Ｂ，４０３Ｂとの間のずれ、及び第１シール部材８Ａの内側シールリップ部４１１Ａ，４１２Ａ，４１３Ａと第２シール部材８Ｂの内側シールリップ部４１１Ｂ，４１２Ｂ，４１３Ｂとの間のずれが抑制される。これにより、例えば比較例に係るシール部材８を用いた場合と比較して、雌側ハウジング２と電線１００との間のシール性をより確実にすることができる。
【００７２】
（２）第１シール部材４Ａには第１突部６０の他に第２窪部７００が形成され、第２シール部材４Ｂには第１窪部７０の他に第２突部６００が形成されている。第２窪部７００及び第２突部６００の嵌合により、第１シール部材４Ａと第２シール部材４Ｂとの相対移動を規制する効果がより確実になる。したがって、第１シール部材４Ａと第２シール部材４Ｂとの挿通孔４０の軸方向の相対移動がより確実に規制され、シール性の向上につながる。
【００７３】
（３）第１シール部材４Ａに形成された第１突部６０は、その稜線が外面４Ａａにおける外側シールリップ部４０２Ａの頂部４０２Ａａ及び各溝部４０Ａにおける内側シールリップ部４１２Ａの頂部４１２Ａａに交差している。第２シール部材４Ｂに形成された第１窪部７０は、その溝底線が外面４Ｂａにおける外側シールリップ部４０２Ｂの頂部４０２Ｂａ及び各溝部４０Ｂにおける内側シールリップ部４１２Ｂの頂部４１２Ｂａに交差している。つまり、第１突部６０と第１窪部７０とは、外側シールリップ部４０２Ａ，４１２Ａ，４０２Ｂ，４１２Ｂの頂部４０２Ａａ，４１２Ａａ，４０２Ｂａ，４１２Ｂａにおいて折り返す形状に形成されている。したがって、シール部材４の外周面４ａにおける頂部４０２Ａａと頂部４０２Ｂａとの間、及び各挿通孔４０における頂部４１２Ａａと頂部４１２Ｂａとの間にずれが生じることをより確実に抑制できる。第２突部６００及び第２窪部７００についても同様に、シール部材４の外周面４ａにおける頂部４０１Ａａと頂部４０１Ｂａとの間、頂部４０３Ａａと頂部４０３Ｂａとの間、及び各挿通孔４０における頂部４１１Ａａと頂部４１１Ｂａとの間、頂部４１３Ａａと頂部４１３Ｂａとの間にずれが生じることをより確実に抑制できる。
【００７４】
（４）４つの接触部５０のうち、挿通孔４０の配列方向の両端に位置する接触部５１，５４に突部６０及び窪部７０が形成されている。つまり、４つの接触部５０のうち、雌側ハウジング２の内面２１０ａに近い接触部５１，５４に突部６０及び窪部７０が形成されていることにより、雌側ハウジング２と電線１００との間のシール性がより向上する。
【００７５】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７６】
［１］互いに組み合わされることにより軸状部材としての電線（１００）をその軸方向に挿通させることが可能な挿通孔（４０）を形成する一対の弾性部材としての第１シール部材（４Ａ）及び第２シール部材（４Ｂ）からなり、前記電線（１００）の外面（１００ｃ）と前記電線（１００）の一部を収容する収容孔（２１０）の内面（２１０ａ）との間をシール可能なシール部材（４）であって、前記第１及び第２シール部材（４Ａ，４Ｂ）を組み合わせた状態において前記挿通孔（４０）の内面（４０ａ）に連続して環状に形成され、前記電線（１００）の外面（１００ｃ）に弾性的に接触する内側シールリップ部（４１１，４１２，４１３）と、前記第１シール部材（４Ａ）側に形成された前記内側シールリップ部（４１１Ａ，４１２Ａ，４１３Ａ）と前記第２シール部材（４Ｂ）側に形成された前記内側シールリップ部（４１１Ｂ，４１２Ｂ，４１３Ｂ）との前記軸方向の相対移動を規制する相対移動規制構造とを備え、前記相対移動規制構造は、前記第１シール部材（４Ａ）に形成された第１窪部（７０）と、前記第２シール部材（４Ｂ）に形成された前記第１窪部（７０）に嵌合する第１突部（６０）とを有する、シール部材（４）。
【００７７】
［２］互いに組み合わされることにより軸状部材としての電線（１００）をその軸方向に挿通させることが可能な挿通孔（４０）を形成する一対の弾性部材としての第１シール部材（４Ａ）及び第２シール部材（４Ｂ）からなり、前記電線（１００）の外面（１００ｃ）と前記電線（１００）の一部を収容する収容孔（２１０）の内面（２１０ａ）との間をシール可能なシール部材（４）であって、前記第１及び第２シール部材（４Ａ，４Ｂ）を組み合わせた状態において前記第１及び第２シール部材（４Ａ，４Ｂ）の外面（４ａ）に連続して環状に形成され、前記収容孔（２１０）の内面（２１０ａ）に弾性的に接触する外側シールリップ部（４０１，４０２，４０３）と、前記第１シール部材（４Ａ）側に形成された前記外側シールリップ部（４０１Ａ，４０２Ａ，４０３Ａ）と前記第２シール部材（４Ｂ）側に形成された前記外側シールリップ部（４０１Ｂ，４０２Ｂ，４０３Ｂ）との前記軸方向の相対移動を規制する相対移動規制構造とを備え、前記相対移動規制構造は、前記第１シール部材（４Ａ）に形成された第１窪部（７０）と、前記第２シール部材（４Ｂ）に形成された前記第１窪部（７０）に嵌合する第１突部（６０）とを有する、シール部材（４）。
【００７８】
［３］互いに組み合わされることにより軸状部材としての電線（１００）をその軸方向に挿通させることが可能な挿通孔（４０）を形成する一対の弾性部材としての第１シール部材（４Ａ）及び第２シール部材（４Ｂ）からなり、前記電線（１００）の外面（１００ｃ）と前記電線（１００）の一部を収容する収容孔（２１０）の内面（２１０ａ）との間をシール可能なシール部材（４）であって、前記第１及び第２シール部材（４Ａ，４Ｂ）を組み合わせた状態において前記挿通孔（４０）の内面（４０ａ）に連続して環状に形成され、前記電線（１００）の外面（１００ｃ）に弾性的に接触する内側シールリップ部（４１１，４１２，４１３）と、前記第１及び第２シール部材（４Ａ，４Ｂ）を組み合わせた状態において前記第１及び第２シール部材（４Ａ，４Ｂ）の外面（４ａ）に連続して環状に形成され、前記収容孔（２１０）の内面（２１０ａ）に弾性的に接触する外側シールリップ部（４０１，４０２，４０３）と、前記第１シール部材（４Ａ）側に形成された前記外側シールリップ部（４０１Ａ，４０２Ａ，４０３Ａ）と前記第２シール部材（４Ｂ）側に形成された前記外側シールリップ部（４０１Ｂ，４０２Ｂ，４０３Ｂ）との前記軸方向の相対移動を規制する相対移動規制構造とを備え、前記相対移動規制構造は、前記第１シール部材（４Ａ）に形成された第１窪部（７０）と、前記第２シール部材（４Ｂ）に形成された前記第１窪部（７０）に嵌合する第１突部（６０）とを有する、シール部材（４）。
【００７９】
［４］前記第１窪部（７０）は、溝底に向かって幅が狭くなるＶ字溝として形成され、前記第１突部（６０）は、前記Ｖ字溝に嵌合する形状の突条として形成され、前記突条の稜線及び前記Ｖ字溝の溝底線は、前記内側シールリップ部（４１１，４１２，４１３）及び前記外側シールリップ部（４０１，４０２，４０３）のうち少なくとも何れかのシールリップ部の頂部（４１１Ａａ〜４１３Ａａ，４１１Ｂａ〜４１３Ｂａ，４０１Ａａ〜４０３Ａａ，４０１Ｂａ〜４０３Ｂａ）に交差する、［１］乃至［３］の何れか１項に記載のシール部材（４）。
【００８０】
［５］前記第１シール部材（４Ａ）と前記第２シール部材（４Ｂ）とが接触する複数の接触部（９０）のうち、少なくとも２つの接触部（９０）に前記第１突部（６０）及び前記第２窪部（７０）が形成されている、［１］乃至［４］の何れか１項に記載のシール部材（４）。
【００８１】
［６］前記挿通孔（４０）は複数形成され、前記複数の接触部（９０）のうち、前記複数の挿通孔（４０）の配列方向の両端に位置する前記接触部（９０）に、それぞれ前記第１突部（６０）及び前記第１窪部（７０）が形成されている、［５］に記載のシール部材（４）。
【００８２】
［７］［１］乃至［６］の何れか１項に記載のシール部材（４）と、前記収容孔（２１０）を有する雌側ハウジング（２）とを備え、前記挿通孔（４０）を挿通する前記電線（１００）の端部を前記雌側ハウジング（２）に収容する、雌コネクタ（１２）。
【００８３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００８４】
本実施の形態では、４つの接触部５０（５１，５２，５３，５４）に４つの第１突部６０（６１，６２，６３，６４）及び４つの第１窪部７０（７１，７２，７３，７４）が形成されていたが、少なくとも２つの接触部５０に第１突部６０及び第１窪部７０が形成されていればよい。
【００８５】
例えば、４つの接触部５０のうち２つの接触部５０に第１突部６０及び第１窪部７０が形成される場合、挿通孔４０の配列方向の両端に位置する接触部５０にそれぞれ第１突部６０及び第１窪部７０が形成されているとよい。つまり、第１突部６０及び第１窪部７０は、接触部５１及び接触部５４に形成されているとよい。これは、第１突部６０及び第１窪部７０が接触部５２及び接触部５３に形成されている場合には、挿通孔４０の配列方向の中心で第１シール部材４Ａと第２シール部材４Ｂとの相対移動が規制されることになり、接触部５２及び接触部５３を中心としたねじれの軸ができやすくなってしまい、特に接触部５１及び接触部５４においてシール性が損なわれやすくなるためである。
【００８６】
また、第１シール部材４Ａに第１突部６０が、第２シール部材４Ｂに第１窪部７０が形成されていなくともよい。第１シール部材４Ａに第１窪部７０が、第２シール部材４Ｂに第１突部６０が形成されていてもよい。若しくは、第１シール部材４Ａに第１突部６０及び第１窪部７０が、第２シール部材４Ｂに第１シール部材４Ａの第１突部６０及び第１窪部７０に嵌合する第１窪部７０及び第１突部６０が形成されていてもよい。例えば、第１シール部材４Ａの接触部５１Ａと接触部５３Ａ、及び第２シール部材４Ｂの接触部５２Ｂと５４Ｂにそれぞれ第１突部６０が形成され、第１シール部材４Ａの接触部５２Ａと接触部５４Ａ、及び第２シール部材４Ｂの接触部５１Ｂと接触部５３Ｂにそれぞれ第１窪部７０が形成されている場合、第１シール部材４Ａと第２シール部材４Ｂとは同一の形状となるため、例えば１種類の金型で製造することが可能である。これにより、製造工程における作業効率の向上ならびに製造コストの削減につながる。
【００８７】
また、第１シール部材４Ａ及び第２シール部材４Ｂにおける第２突部６００及び第２窪部７００は形成されていなくともよい。
【００８８】
また、本実施の形態では、１つのシール部材４に、複数（３つ）の挿通孔４０，外側シールリップ部４０１，４０２，４０３、内側シールリップ部４１１，４１２，４１３を形成している場合であったが、数に制限はない。
【００８９】
また、本実施の形態では、１つの収容孔２１０に対し、１つのシール部材４を押し込んだ場合（単層シール構造）を示したが、複数、例えば、２つのシール部材を押し込んだ場合（積層シール構造）であってもよい。この場合、２つのシール部材の各々に関し、両方とも、外側シールリップ部及び内側シールリップ部が形成されているものであってもよいし、一方は、外側シールリップ部のみを形成し、他方は、内側シールリップ部のみを形成したものとし、それらを組み合わせて、全体で所要のシール性（シール性能）を持たせる第１組合構造としてもよいし、一方は、外側シールリップ部及び内側シールリップ部の両方を形成し、他方は、外側シールリップ部又は内側シールリップ部の一方を形成し、それらを組み合わせる第２組合構造としてもよい。該第２組合構造の場合、一方のシール部材の方で、所要のシール性を有していれば、他方のシール部材、即ち、外側シールリップ部又は内側シールリップ部の一方を形成したシール部材は、補足的なシール性能の位置付けとなる。
【符号の説明】
【００９０】
１…コネクタ装置、２…雌側ハウジング（ハウジング）、３…雄側ハウジング、４…シール部材、４Ａ…第１シール部材（弾性部材）、４Ａａ…外面、４Ｂ…第２シール部材（弾性部材）、４Ｂａ…外面、４ａ…外周面、４ｂ…側面、８…シール部材、８Ａ…第１シール部材（弾性部材）、８Ｂ…第２シール部材（弾性部材）、１１…雄コネクタ、１２…雌コネクタ、２０…雌側接続端子、２１…端部、３０…雄側接続端子、３１…第１エレメント、３２…第２エレメント、３３…筒部、３４…フランジ部、３５…端子台部、４０Ａ…溝部、４０Ａａ…内周面、４０Ｂ…溝部、４０Ｂａ…内周面、４０ａ…内周面、４０（４１，４２，４３）…挿通孔、４０Ａ（４１Ａ，４２Ａ，４３Ａ）…溝部、４０Ｂ（４１Ｂ，４２Ｂ，４３Ｂ）…溝部、５０（５１，５２，５３，５４）…接触部、５０Ａ（５１Ａ，５２Ａ，５３Ａ，５４Ａ）…接触部、５０Ｂ（５１Ｂ，５２Ｂ，５３Ｂ，５４Ｂ）…接触部、６０（６１，６２，６３，６４）…第１突部、７０（７１，７２，７３，７４）…第１窪部、９０…接触部、９０Ａａ…接触面、９０Ｂａ…接触面、１００…電線（軸状部材）、１００ａ…芯線、１００ｂ…絶縁被覆、１００ｃ…外面、２００…嵌合凹部、２１０…収容孔、２１０ａ…内面、３３０…嵌合突起、４０１，４０２，４０３…外側シールリップ部、４０１Ａ，４０２Ａ，４０３Ａ…外側シールリップ部、４０１Ａａ，４０２Ａａ，４０３Ａａ…頂部、４０１Ｂ，４０２Ｂ，４０３Ｂ…外側シールリップ部、４０１Ｂａ，４０２Ｂａ，４０３Ｂａ…頂部、４０１ａ，４０２ａ，４０３ａ…頂部、４１１，４１２，４１３…内側シールリップ部、４１１Ａ，４１２Ａ，４１３Ａ…内側シールリップ部、４１１Ａａ，４１２Ａａ，４１３Ａａ…頂部、４１１Ｂ，４１２Ｂ，４１３Ｂ…内側シールリップ部、４１１Ｂａ，４１２Ｂａ，４１３Ｂａ…頂部、４１１ａ，４１２ａ，４１３ａ…頂部、６００（６１１，６１２，６１３，６１４，６２１，６２２，６２３，６２４）…第２突部、７００（７１１，７１２，７１３，７１４，７２１，７２２，７２３，７２４）…第２窪部
【図１】
2014086315.tif 000003
【図２】
2014086315.tif 000004
【図３】
2014086315.tif 000005
【図４】
2014086315.tif 000006
【図５】
2014086315.tif 000007
【図６】
2014086315.tif 000008